(57)【要約】【課題】  エアゾール容器用吐出装置において、容器体に組付く装着体に対するヘッドの、後方からの挿入組付けを可能とすることにより、装着体の構造を簡単化すると共に、ノズルに対する長さ制限の制約を無くすことを目的とする。【解決手段】  装着体７のカバー筒１０に、前後に開口１１、１２を設け、後部開口１２からヘッド１９を挿入可能とし、ヘッド１９の前後に載置リブ２２、２３を設けて、ヘッド１９を両開口１１、１２間に、落下することなく掛け渡し状に支持し、これにより装着体７に対するヘッド１９の仮組付きを安定したものとする。【選択図】図６
2010052812.tif 000002
【特許請求の範囲】
【請求項１】
並列に固定された一対のエアゾール式容器体のステムを一つの吐出筒に連通させる通路体と、該通路体の吐出筒に連結するノズルを有するヘッドと、前記通路体とヘッドを覆って両容器体の上端部に外嵌組付きし、上端の頂壁に前記ヘッドを押下げる押圧板を設けた装着体とを有し、前記ヘッドが位置する装着体のカバー筒に、前記ヘッドのノズルが突出可能な前部開口と、前記ヘッドが通過可能な後部開口を開設し、前記ヘッドに、前記前部開口の開口縁下端に載置可能な前載置リブと、該前載置リブが前部開口の開口縁下端に載置した状態で、前記後部開口の開口縁下端に載置可能な後載置リブを設けたエアゾール容器用吐出装置。
【請求項２】
装着体のカバー筒に、挿入組付けされたヘッドのヘッド本体の側面に対向して一対のガイド板片を設け、該ガイド板片に縦割り溝状のガイド溝を形成すると共に、前記ヘッド本体の両側面に、前記ガイド溝にスライド自在に係合する突片を設けた請求項１に記載のエアゾール容器用吐出装置。
【請求項３】
前載置リブおよび後載置リブを、ヘッド本体の下端部よりも上位に位置させ、前記ヘッド本体の下端部の前後幅を、前部開口と後部開口との間隔よりもわずかに小さい値に設定した請求項１または２に記載のエアゾール容器用吐出装置。
【発明の詳細な説明】
【技術分野】
【０００１】
本発明は、一対のエアゾール式容器から同時に内容物を噴出させると共に、この両噴出内容物を、一つのノズルから一緒に吐出するエアゾール容器用吐出装置に関するものである。
【背景技術】
【０００２】
例えば、ある種の染毛剤のように、２種の薬液を使用時に一緒に吐出するタイプのもので、薬液を個々にエアゾール式の容器体に収納し、この一対の容器体から内容物である薬液を同時に噴出させると共に、この噴出させた薬液を一緒に一ヶ所から吐出するものとして、特開２０００−１０９１５０号公報に開示された技術がある。
【特許文献１】特開２０００−１０９１５０号公報
【０００３】
この従来技術は、ステムが設けられた２つの容器体と、両容器体に着脱自在に組付くカバーと、このカバー内に収納されるノズルおよび操作部を具備し、ノズルは、容器体のステムに係合し、カバーに設けたノズル摺動片および摺動限定帯体により規制された状態で、ステムと共に上下可能にカバーに収納され、操作部は、両側に設けた一対の第１突設片を、カバーのスリットに嵌合させて固定される。
【０００４】
この操作部には、ヒンジ部を残して切り抜いた形で操作レバーの基板部が形成されており、その切欠部嵌合部に第２突設片を一対設け、これをカバー側に設けた小孔に嵌合させ、さらに接着剤で操作部全体をカバーに固定している。
【０００５】
そして、操作レバーを指で押下げると、その基板部の裏面に形成されている半円状の２つの突起がノズルの上面を押し、それに伴って両容器体のステムが押下げられ、両容器体から薬剤が、導入部を経てノズル内に入り、ノズル基部およびノーズ部に形成された誘導路を通って同時に吐出される。
【０００６】
このように、上記した従来技術にあっては、例えばブラシ上に両薬剤を同時に吐出させて、速やかに染毛処理等を行うことができる。
【発明の開示】
【発明が解決しようとする課題】
【０００７】
しかしながら、上記した従来技術にあっては、ノズルを一定姿勢を維持した状態で、昇降変位可能に組付け保持するために、カバーは、ノズル摺動片や摺動限定帯体等を設ける必要があり、このため内部構造が複雑化して、カバーを成形する金型の構造が複雑になると共に、高い成形性を得ることができない、と云う問題があった。
【０００８】
また、この種の吐出装置にあっては、構造を簡単にするため、操作レバーは、一般にはヒンジ部を介してカバーに一体設されているので、カバーに対してノズルを上方から挿入状にセットすることになり、このためノズル口の長さが制限されてしまう、と云う問題があった。
【０００９】
そこで、本発明は、上記した従来技術における問題点を解消すべく創案されたもので、カバー相当部分に対するノズル相当部分の、後方からの挿入組付けを可能とすることを技術的課題とし、もってカバー相当部分の構造を簡単化すると共に、ノズル口相当部分に対する長さ制限の制約を無くすことを目的とする。
【課題を解決するための手段】
【００１０】
本発明の液状内容物吐出容器の主たる構成は、並列に固定された一対のエアゾール式容器体のステムを一つの吐出筒に連通させる通路体と、この通路体の吐出筒に連結するノズルを有するヘッドと、通路体とヘッドを覆って両容器体の上端部に外嵌組付きし、上端の頂壁にヘッドを押下げる押圧板を設けた装着体とを有したものとなっている。
【００１１】
ヘッドが位置する装着体のカバー筒には、ヘッドのノズルが突出可能な前部開口と、ヘッドが通過可能な後部開口を、前後に対向して開設しており、ヘッドには、前部開口の開口縁下端に載置可能な前載置リブと、この前載置リブが前部開口の開口縁下端に載置した状態で、後部開口の開口縁下端に載置可能な後載置リブを設けている。
【００１２】
ヘッドを、装着体のカバー筒に、後部開口から挿入して、その前載置リブおよび後載置リブを、前部開口および後部開口の開口縁下端に載置させた仮組付け状態では、ヘッドは、カバー筒の前部開口の開口縁下端と後部開口の開口縁下端との間に、落下することなく掛け渡し状に組付けられ、その状態を、仮組付き状態として維持する。
【００１３】
この仮組付き状態は、そのままで通路体との結合可能姿勢となっているので、装着体にヘッドを仮組付けした状態のまま、このヘッドに対する通路体の結合組付けを実施することができる。
【００１４】
また、装着体に対するヘッドの仮組付きは、ヘッドに設けた前後の載置リブにより達成され、ヘッドを仮組付けするための装着体における構成は、前後の開口であるので、装着体の内部構造が簡単なものとなっている。
【００１５】
カバー筒の前部開口と後部開口は、前後に対向して設けられており、このカバー筒に対するヘッドの組付けは、後部開口からの挿入組付けであるので、ヘッドのノズルの長さが、このヘッドのカバー筒に対する挿入組付けに支障を生じさせることは全くない。
【００１６】
本発明の別の構成は、上記した主たる構成に加えて、装着体のカバー筒に、挿入組付けされたヘッドのヘッド本体の側面に対向して一対のガイド板片を設け、このガイド板片に縦割り溝状のガイド溝を形成すると共に、ヘッド本体の両側面に、ガイド溝にスライド自在に係合する突片を設けた、ものである。
【００１７】
装着体のガイド板片にガイド溝を設け、ヘッド本体にガイド溝にスライド自在に係合する突片を設けたものにあっては、装着体のカバー筒に仮組付きしたヘッドの組付き姿勢を、正規の組付き姿勢を同じに規制保持することになる。
【００１８】
また、本発明の別の構成は、上記した主たる構成に加えて、前載置リブおよび後載置リブを、ヘッド本体の下端部よりも上位に位置させ、ヘッド本体の下端部の前後幅を、前部開口と後部開口との間隔よりもわずかに小さい値に設定した、ものである。
【００１９】
前載置リブおよび後載置リブを、ヘッド本体の下端部よりも上位に位置させ、ヘッド本体の下端部の前後幅を、前部開口と後部開口との間隔よりもわずかに小さい値に設定したものにあっては、前部開口の開口縁および後部開口の開口縁に対する、ヘッド本体の下端部の突き当たりにより、仮組付けされたヘッドのカバー筒に対する前後方向への変位が規制される。
【発明の効果】
【００２０】
本発明は、上記した構成となっているので、以下に示す効果を奏する。
本発明のエアゾール容器用吐出装置は、装着体に対してヘッドを、前部開口の開口縁下端と後部開口の開口縁下端との間に、落下することなく掛け渡し状に組付けられ、その状態を、仮組付き状態として維持し、この仮組付き状態は、そのままで通路体との結合可能姿勢となっているので、装着体にヘッドを仮組付けした状態のまま、このヘッドに対する通路体の結合組付けを実施することができ、これにより吐出装置の組立て作業を、簡単にかつ安全に行うことができる。
【００２１】
また、装着体の内部構造が簡素となるので、成形用の金型構造が簡単となって成形性の向上が図れる。
【００２２】
装着体に対するヘッドの組付けは、後部開口からの挿入組付けであるので、ヘッドのノズルの長さが、このヘッドのカバー筒に対する挿入組付けに支障を生じさせることは全くなく、これにより必要とする長さのノズルを、自由に設けることができる。
【００２３】
装着体のガイド板片にガイド溝を設け、ヘッド本体にガイド溝にスライド自在に係合する突片を設けたものにあっては、装着体のカバー筒に仮組付きしたヘッドの組付き姿勢を、正規の組付き姿勢を同じに規制保持することになるので、そのままヘッドに対して通路体を組付けることができ、吐出装置の組立作業が、より一層簡単化する。
【００２４】
前載置リブおよび後載置リブを、ヘッド本体の下端部よりも上位に位置させ、ヘッド本体の下端部の前後幅を、前部開口と後部開口との間隔よりもわずかに小さい値に設定したものにあっては、仮組付けされたヘッドのカバー筒に対する前後方向への変位が規制されるので、装着体に対するヘッドの仮組付き姿勢が安定して保持され、これにより吐出装置の組立作業が安定したものとなる。
【発明を実施するための最良の形態】
【００２５】
以下、本発明の実施形態例を、図面を参照して説明する。
【００２６】
図１から図４は、本発明の一実施形態を示すもので、エアゾール容器である容器体１は、細長有底円筒状をした金属製本体の縮径した口部に、弁による開閉機能部を備えたステム３を有する金属製のキャップをカシメ固定して頭部２を形成し、ステム３は、この頭部２上面に起立状に位置している。
【００２７】
この容器体１は、一対並列に隣接された状態で、頭部２にきつく外嵌する、締結体４の長円筒状をした結合筒５により締結されている。
【００２８】
装着体７は、締結体４の結合筒５に外嵌する長円筒状の外嵌筒８の上端に、縮径した段部を介して、有頂長円筒状のカバー筒１０を連設し、外嵌筒８の左右部分に、締結体４に対する外嵌筒８の係止保持する係止片６の、装着体７に対する係止を解除する押圧片９が設けられており、またカバー筒１０の前後には、前部開口１１と後部開口１２が、その開口縁の下端を、同じ高さレベルにして、対向して開設されている。
【００２９】
また、カバー筒１０の前部開口１１と後部開口１２の、それぞれの開口縁両側端間には、左右に対向して一対のガイド板片１７（図３参照）が、起立姿勢で設けられているが、このガイド板片１７には割り溝状に垂直に延びるガイド溝１８が設けられている。
【００３０】
さらに、カバー筒１０の頂壁１３の中央部分には、前端をヒンジ１６により連結された状態で、押圧板１４が切欠き状に形成されており、この押圧板１４の下面には、一対の当接片１５（図３参照）が垂下状に設けられている。
【００３１】
ヘッド１９は、基本的には有頂筒状となったヘッド本体２０と、このヘッド本体２０の前側上端部から前方に延出設されたノズル２１と、ヘッド本体２０の頂壁から垂下設された状態で、ノズル２１に連通された組付き筒２４と、ヘッド本体２０の前側とノズル２１の下側とにかけて垂下状に設けられた前載置リブ２２と、ヘッド本体２０の、上側が下降傾斜した後側に突出状に設けられた後載置リブ２３と、そしてヘッド本体２０の側面に突設されて、装着体７のガイド溝１８に摺動自在に係合する突片２５（図３参照）とから構成されている。
【００３２】
容器体１とヘッド１９を連結する通路体２６は、ヘッド１９の組付き筒２４に密嵌入する吐出筒２８を、上面中央に起立設した上蓋部２７と、下面の左右端部に、容器体１のステム３に密嵌合する嵌合筒３０を垂下設した下蓋部２９とを、ヒンジ部３３により一体結合して構成され、ロック片３１で上蓋部２７と下蓋部２９を閉じた状態では、内部に両嵌合筒３０と吐出筒２８を連通する通路を形成する。
【００３３】
なお、下蓋部２９の下面中央に垂下設された摘み片３２は、通路体２６をヘッド１９に組付ける際における、指先による支持部を形成するものである。
【００３４】
次に、図５と図６を参照しながら、吐出装置の組立て手順を説明する。
図５に示すように、装着体７に対して、ヘッド１９を後部開口１２から挿入組付けする。
【００３５】
この際、挿入したヘッド１９を、ヘッド本体２０の下端部が、前部開口１１の開口縁下端に後方から突き当たる位置で、下降変位させ、これにより前載置リブ２２および後載置リブ２３を、それぞれ前部開口１１の下端開口縁および後部開口１２の下端開口縁に載置させると共に、ヘッド本体２０の下端部を、前部開口１１の開口縁下端部と後部開口１２の開口縁下端部との間に位置させる。
【００３６】
この状態（図６参照）では、ヘッド本体２０の下端部の装着体７に対する突き当たりにより、ヘッド１９は、装着体７に対して殆ど前後方向に変位することができない状態となっており、ヘッド１９は、この状態で、前部開口１１の下端開口縁と後部開口１２の下端開口縁の間に、掛け渡し状に組付き保持されることになるので、その仮組付き姿勢が安定して保持される。
【００３７】
なお、ヘッド１９を装着体７に挿入組付けする際に、ヘッド１９の突片２５もガイド板片１７のガイド溝１８に係合するが、この突片２５のガイド溝１８に対する係合を円滑に達成させるために、ヘッド本体２０の側壁に、突片２５に隣接して縦割り溝を設けておき、この縦割り溝によりヘッド本体２０の側壁を弾性変形し易くしておくのがよい。
【００３８】
装着体７に対するヘッド１９の仮組付け（図６参照）を達成したならば、通路体２６を下方から装着体７内に挿入しながら、ヘッド１９に組付け、ノズル２１と両嵌合筒３０を連通させ、これにより装着体７とヘッド１９と通路体２６との組立てが完了する。
【００３９】
この組立てられた装着体７とヘッド１９と通路体２６の組合せ物を、一対の容器体１を並列に隣接締結している締結体４に、通路体２６の嵌合筒３０をステム３に嵌合させながら、上方から被せるようにして装着体７の外嵌筒８により組付け、吐出装置の容器体１への組付けを達成する。
【００４０】
なお、装着体７とヘッド１９と通路体２６の組合せ物を容器体１に組付けた際に、ヘッド１９と通路体２６との組合せ物は、ステム３により上方に押上げられて、前載置リブ２２および後載置リブ２３を、前部開口１１の開口縁下端および後部開口１２の開口縁下端から浮き上げ、ヘッド本体２０の上面を、押圧板１４の当接片１５に接触、もしくは近接して位置させ（図２および図３参照）て、内容物吐出のための、押圧板１４によるヘッド１９の押下げを可能としている。
【００４１】
吐出装置の内部を洗浄するために、装着体７とヘッド１９と通路体２６の組合せ物を、容器体１側から分離するには、容器体１のステム３と通路体２６の嵌合筒３０の間の結合力に比べて、ヘッド１９の組付き筒２４と通路体２６の吐出筒２８の間の結合力の方が強いので、装着体７の押圧片９を押し込んで、締結体４の係止片６との係止を解除した状態で、容器体１側に対して装着体７とヘッド１９と通路体２６の組合せ物を引上げればよい。
【００４２】
装着体７とヘッド１９と通路体２６の組合せ物の分解は、通路体２６の摘み片３２を指先で摘んで下方に引き、ヘッド１９の組付き筒２４と通路体２６の吐出筒２８の組付きを解除することにより達成される。
【００４３】
通路体２６の洗浄は、ヒンジ部３３で連結されている上蓋部２７と下蓋部２９を、ロック片３１を解除して開放して、水等の洗浄液により達成し、またヘッド１９の洗浄は、ノズル２１もしくは組付き筒２４から水等で洗い流す等して達成する。
【００４４】
洗浄後の装着体７とヘッド１９と通路体２６との組立ては、前述した手順で行えばよいので、簡単に行うことができる。このように、装着体７とヘッド１９と通路体２６との組立てを、簡単にそして正確に達成することができるので、吐出装置の洗浄をきわめて容易に実施することでき、これにより好ましい使用状況を得ることができる。
【産業上の利用可能性】
【００４５】
以上説明したように、本発明のエアゾール容器用吐出装置は、ノズルの延出長さが制限されることなく、装着体に対するヘッドの仮組付け姿勢を、安定して一定させることができ、エアゾール容器に組付けられる吐出装置として、幅広い利用展開が期待できる。
【図面の簡単な説明】
【００４６】
【図１】本発明の一実施例示す、側面図である。
【図２】図１に示した実施例の、拡大縦断側面図である。
【図３】図１に示した実施例の、拡大半縦断正面図である。
【図４】図１に示した実施例の、拡大平面図である。
【図５】装着体に対するヘッドの組立て状態を示す、動作説明図である。
【図６】装着体とヘッドの組合せ物に対する通路体の組立て状態を示す、動作説明図である。
【符号の説明】
【００４７】
１  ；容器体
２  ；頭部
３  ；ステム
４  ；締結体
５  ；結合筒
６  ；係止片
７  ；装着体
８  ；外嵌筒
９  ；押圧片
１０；カバー筒
１１；前部開口
１２；後部開口
１３；頂壁
１４；押圧板
１５；当接片
１６；ヒンジ
１７；ガイド板片
１８；ガイド溝
１９；ヘッド
２０；ヘッド本体
２１；ノズル
２２；前載置リブ
２３；後載置リブ
２４；組付き筒
２５；突片
２６；通路体
２７；上蓋部
２８；吐出筒
２９；下蓋部
３０；嵌合筒
３１；ロック片
３２；摘み片
３３；ヒンジ部
【図１】
2010052812.tif 000003
【図２】
2010052812.tif 000004
【図３】
2010052812.tif 000005
【図４】
2010052812.tif 000006
【図５】
2010052812.tif 000007
【図６】
2010052812.tif 000008